(57)【要約】【課題】柔軟性のある感圧積層構造、成形された取り外し可能な識別バンド、患者識別方法、および、成形された識別バンドを幼児や新生児の手首や足首の周りに留め付けるために用いる組立用ジグを提供する。【解決手段】柔軟性のある積層構造１０は、裏打ち層４４と、実質的に同じ広がりの印字可能層１２とを具える。印字可能層１２には、その上に印字する印刷可能面と、粘着面がある。切り通された印字可能層１２は、より狭幅の連結バンド１８で連結された２つの等サイズの患者識別部を具えた取り外し可能部を画定する。印字可能層１２と、裏打ち層４４の間の粘着層は、取り外し可能部が裏打ち層から取り外された際に粘着剤が少なくとも一方の患者識別部の粘着面に粘着したままとなって連結バンド１８には粘着剤が付着したまま残ることがないように、印字可能層を裏打ち層に取り外し可能に粘着させる。【選択図】  図２
2009518691.tif 000002
【特許請求の範囲】
【請求項１】
柔軟性のある積層構造であって、
裏打ち層と、
２つの等サイズの患者識別領域を、該等サイズの患者識別領域それぞれの幅よりも狭幅の連結バンド部で連結させた形状である取り外し可能部を画定するために切断されているものであり、印刷に適した印刷可能面と粘着面とを具えた、前記裏打ち層と実質的に同じ広がりの印字可能層と、
前記印刷可能層の該取り外し可能部が前記裏打ち層から取り外されたときに粘着剤は前記等サイズの患者識別領域のうち少なくとも1つの粘着面に粘着したままであり前記取り外し可能部の前記連結バンドには粘着剤が付着して残らないように、前記印字可能層を前記裏打ち層に取り外し可能に粘着させる、前記印字可能層と前記裏打ち層の間の粘着層と、を備え、
患者情報は前記等サイズの患者識別領域のうち一方または両方の印刷可能面に印刷されることができ、前記印字可能層の前記取り外し可能部は、前記裏打ち層から取り外されて、連結バンドを幼児や新生児の手首や足首に巻きつけ、前記等サイズの患者識別領域の粘着面を互いに押し付けて、それにより前記等サイズの患者識別領域のうち少なくとも一方の粘着面に付着している粘着剤によって前記２つの等サイズの患者識別領域を互いに粘着させることによって、そのような手首や足首の周りに留め付けることができる、
柔軟性のある積層構造。
【請求項２】
前記粘着層が複数の別個の粘着剤被覆層を備える、請求項１記載の柔軟性のある積層構造。
【請求項３】
前記複数の粘着剤被覆層の一粘着剤被覆層は、前記等サイズの患者識別領域のうち少なくとも一方の粘着面に粘着する、請求項２記載の柔軟性のある積層構造。
【請求項４】
前記等サイズの患者識別領域のうち少なくとも一方の粘着面に粘着した前記粘着剤被覆層は、そのような等サイズの患者識別領域と同じ広がりを持たず、そのような等サイズの患者識別領域の周縁と界接しない、請求項３記載の柔軟性のある積層構造。
【請求項５】
等サイズの患者識別領域の周縁と、そこに粘着した粘着剤被覆層の周縁との距離は、約２ｍｍから約４ｍｍの間である、請求項４記載の柔軟性のある積層構造。
【請求項６】
１つの粘着剤被覆層が等サイズの患者識別領域それぞれの粘着面に粘着し、１つの粘着剤被覆層が積層構造の各側面に界接し、１つの粘着剤被覆層が積層構造の各端面に界接して配置された６層の別個の粘着剤被覆層を前記粘着層が備える、請求項２記載の柔軟性のある積層構造。
【請求項７】
前記印字可能層が、感熱コーティングとＵＶトップコートで被覆された２軸延伸ポリプロピレンフィルムを備え、その上に直接感熱印刷を施すのに適している、請求項２記載の柔軟性のある積層構造。
【請求項８】
前記積層構造は約１６ｃｍから約１８ｃｍの範囲の長さと、約３ｃｍから約５ｃｍの範囲の幅を持つ、請求項１記載の柔軟性のある積層構造。
【請求項９】
前記印字可能層の前記取り外し可能部を、前記取り外し可能部ではない前記印字可能層の部位に連結する少なくとも１つの未切断部をさらに備えた請求項１記載の柔軟性のある積層構造。
【請求項１０】
前記印字可能層の前記取り外し可能部の前記連結バンドの長さは約７ｃｍから約８ｃｍの範囲である、請求項１記載の柔軟性のある積層構造。
【請求項１１】
前記印字可能層の前記取り外し可能部の前記連結バンドの幅は約０．５ｃｍから約１ｃｍの範囲である、請求項１記載の柔軟性のある積層構造。
【請求項１２】
前記印字可能層の前記取り外し可能部の前記等サイズの患者識別領域それぞれの幅は、約２ｃｍから約３ｃｍの範囲である、請求項１記載の柔軟性のある積層構造。
【請求項１３】
前記粘着剤は、米国食品医薬品局によって人の肌への接触を承認された感圧粘着剤を含む、請求項１記載の柔軟性のある積層構造。
【請求項１４】
前記感圧粘着剤はホットメルト感圧粘着剤である、請求項１３記載の柔軟性のある積層構造。
【請求項１５】
前記粘着層の面積は、前記印字可能層の粘着面の面積の少なくとも５０パーセントである、請求項１記載の柔軟性のある積層構造。
【請求項１６】
前記粘着層の面積は、前記印字可能層の粘着面の面積の８１パーセント未満である、請求項１５記載の柔軟性のある積層構造。
【請求項１７】
前記印字可能層の取り外し可能部の等サイズの患者識別領域のうち少なくとも１つの印刷可能面に印刷することをさらに含む、請求項１記載の柔軟性のある積層構造。
【請求項１８】
幼児や新生児の所定の直径の手首や足首の周りに装着する識別バンドであって、
印刷に適した印刷可能面と粘着面を具えた柔軟性のあるバンドであって、前記柔軟性のあるバンドは、２つの等サイズの患者識別領域を、該等サイズの患者識別領域それぞれの幅よりも狭幅で所定の直径よりも大きい長さを持つ連結バンド部で連結させた形状を持つ柔軟性のあるバンドと、
２つの等サイズの患者識別部のうち少なくとも１つの粘着面に付着しているが連結バンド部には付着していない粘着剤であって、前記粘着剤は、そのような粘着剤が粘着しているそのような少なくとも一つの等サイズの患者識別部の周縁に界接しないように、前記２つの等サイズの患者識別部のうち少なくとも一つの粘着面に粘着している、粘着剤と、
を備え、
患者情報は前記等サイズの患者識別領域のうち一方または両方の印刷可能面に印刷されることができ、前記識別バンドは、連結バンド部を幼児や新生児の所定の直径の手首や足首に巻きつけて、前記等サイズの患者識別部の粘着面を互いに押し付け、それにより前記等サイズの患者識別部のうち少なくとも１つの粘着面に付着している粘着剤によって前記２つの等サイズの患者識別部を互いに粘着させることによって、そのような手首や足首の周りに留め付けられる、
幼児や新生児の所定の直径の手首や足首の周りに装着する識別バンド。
【請求項１９】
前記柔軟性のあるバンドは、感熱コーティングとＵＶトップコートで被覆された２軸延伸ポリプロピレンフィルムを備え、その上に直接感熱印刷を施すのに適している、請求項１８記載の幼児や新生児の所定の直径の手首や足首の周りに装着する識別バンド。
【請求項２０】
前記等サイズの患者識別領域の周縁と、そこに粘着した粘着剤被覆層の周縁との距離は、約２ｍｍから約４ｍｍの間である、請求項１９記載の幼児や新生児の所定の直径の手首や足首の周りに装着する識別バンド。
【請求項２１】
前記柔軟性のあるバンドは、その上に直接感熱印刷を施すのに適した材料を含む、請求項１９記載の幼児や新生児の所定の直径の手首や足首の周りに装着する識別バンド。
【請求項２２】
前記連結バンド部の長さは約７ｃｍから約８ｃｍの範囲内である、請求項１９記載の幼児や新生児の所定の直径の手首や足首の周りに装着する識別バンド。
【請求項２３】
前記柔軟性のあるバンドの長さは約１６ｃｍから約１８ｃｍの範囲内である、請求項２２記載の幼児や新生児の所定の直径の手首や足首の周りに装着する識別バンド。
【請求項２４】
前記連結バンド部の幅は約０．５ｃｍから約１ｃｍの範囲内である、請求項２３記載の幼児や新生児の所定の直径の手首や足首の周りに装着する識別バンド。
【請求項２５】
前記等サイズの患者識別部それぞれの幅は、約２ｃｍから約３ｃｍの範囲内である、請求項２２記載の幼児や新生児の所定の直径の手首や足首の周りに装着する識別バンド。
【請求項２６】
前記粘着剤は、米国食品医薬品局によって人の肌への接触を承認された感圧粘着剤を含む、請求項１９記載の幼児や新生児の所定の直径の手首や足首の周りに装着する識別バンド。
【請求項２７】
前記感圧粘着剤はホットメルト感圧粘着剤である、請求項２６記載の幼児や新生児の所定の直径の手首や足首の周りに装着する識別バンド。
【請求項２８】
前記柔軟性のあるバンドの等サイズの患者識別部のうち少なくとも1つに印刷された患者識別情報をさらに含む、請求項１９記載の幼児や新生児の所定の直径の手首や足首の周りに装着する識別バンド。
【請求項２９】
幼児や新生児の患者の識別方法であって、
裏打ち層と、
２つの等サイズの患者識別領域を、該等サイズの患者識別領域それぞれの幅よりも狭幅の連結バンド部で連結させた形状である取り外し可能部を画定するために切断されているものであり、印刷に適した印刷可能面と粘着面とを具えた、前記裏打ち層と実質的に同じ広がりの印字可能層と、
前記印刷可能層の該取り外し可能部が前記裏打ち層から取り外されたときに粘着剤は前記等サイズの患者識別領域のうち少なくとも1つの粘着面に粘着したままであり前記取り外し可能部の前記連結バンドには粘着剤が付着して残らないように、前記印字可能層を前記裏打ち層に取り外し可能に粘着させる、前記印字可能層と前記裏打ち層の間の粘着層と、
を備えた柔軟性のある積層構造の少なくとも一方の患者識別領域上に幼児または新生児の患者に対応する患者識別情報を印刷することと、
前記柔軟性のある積層構造の印字可能層の取り外し可能部を、前記柔軟性のある積層構造の前記裏打ち層から取り外すことと、
前記連結バンドを前記幼児や新生児患者の手首や足首の周りに巻きつけ、前記等サイズの患者識別領域の粘着面を互いに押し付けて、それにより前記等サイズの患者識別領域のうち少なくとも一方の粘着面に付着している粘着剤によって前記２つの等サイズの患者識別領域を互いに粘着させることによって、前記柔軟性のある積層構造の印字可能層の取り外し可能部をそのような手首や足首の周りに留め付けることと、
を含む幼児や新生児の患者の識別方法。
【請求項３０】
識別バンドを幼児や新生児の手首や足首の周りに留め付けるためのキットであって、
印刷に適した印刷可能面と粘着面を具えた柔軟性のあるバンドであって、前記柔軟性のあるバンドは、２つの等サイズの患者識別領域を、該等サイズの患者識別領域それぞれの幅よりも狭幅で所定の直径よりも長尺の持つ連結バンド部で連結させた形状を持つ柔軟性のあるバンドと、
２つの等サイズの患者識別部のうち少なくとも１つの粘着面に付着しているが連結バンド部には付着していない粘着剤であって、前記粘着剤は、そのような粘着剤が粘着しているそのような少なくとも一つの等サイズの患者識別部の周縁に界接しないように、前記２つの等サイズの患者識別部のうち少なくとも一つの粘着面に粘着している、粘着剤と、
前記等サイズの患者識別領域のうち一方または両方の印刷可能面に印刷された患者識別情報と、
を備えた、幼児や新生児の所定の直径の手首や足首の周りに装着する識別バンドと、
前記柔軟性のあるバンドの前記患者識別部の長さと幅に概ね対応する長さと幅の窪み領域を具えた組立用ジグであって、該窪み領域における前記柔軟性のあるバンドの患者識別部の横方向の移動は前記組立用ジグによって制止される、組立用ジグと、
を備え、
前記識別バンドは、一方の患者識別部を組立用ジグの窪み領域に配置し、識別バンドの連結バンド部をそのような手首や足首の周りに巻きつけ、他方の患者識別部を窪み領域内にある患者識別部と実質的に同じ広がりに揃えてから２つの患者識別部を互いに押し付けて、それにより患者識別部のうち少なくとも一方の粘着面に付着した粘着剤によって２つの等サイズの患者識別部を互いに粘着させることによって、幼児や新生児の手首や足首に留め付けることができる、
識別バンドを幼児や新生児の手首や足首の周りに留め付けるためのキット。
【請求項３１】
製造品であって、
端と端を互いに付けた関係で筒の周りの一巻きに形成された複数の柔軟性のある積層構造を備え、そのような柔軟性のある積層構造それぞれは、横方向のミシン目によって個々の隣接した柔軟性のある積層構造から分離させることができ、そのような柔軟性のある積層構造それぞれが、
裏打ち層と、
２つの等サイズの患者識別領域を、該等サイズの患者識別領域それぞれの幅よりも狭幅の連結バンド部で連結させた形状である取り外し可能部を画定するために切断されているものであり、印刷に適した印刷可能面と粘着面とを具えた、前記裏打ち層と実質的に同じ広がりの印字可能層と、
前記印刷可能層の該取り外し可能部が前記裏打ち層から取り外されたときに粘着剤は前記等サイズの患者識別領域のうち少なくとも1つの粘着面に粘着したままとなり前記取り外し可能部の前記連結バンドには粘着剤が付着して残らないように、前記印字可能層を前記裏打ち層に取り外し可能に粘着させる、前記印字可能層と前記裏打ち層の間の粘着層と、
を備える、製造品。
【請求項３２】
前記複数の柔軟性のある積層構造内の各柔軟性のある積層構造の印字可能層は、感熱コーティングとＵＶトップコートで被覆された２軸延伸ポリプロピレンフィルムを備え、その上に直接感熱印刷を施すのに適している、請求項３１記載の製造品。
【発明の詳細な説明】
【技術分野】
【０００１】
本発明は一般に感圧積層構造の分野に関し、より詳細には、新生児や幼児の手首や足首に装着する粘着式患者識別バンドに関する。
【背景技術】
【０００２】
患者の取り違えによる医療過誤の回避を補助するため、多くの病院やその他の医療機関では患者識別バンドを用いており、それは患者の手首や足首に留め付けられている。そのような識別バンドには、患者の名前、誕生日、識別番号、そして時には患者の写真や割り当てられたバーコードまで印刷または装着されている。機械的閉じ具を用いて患者の手首や足首の周りにバンドを留め付ける患者識別バンドもある。他の種類の患者識別バンドは、バンドを患者の手首や足首の周りに配置してから、粘着剤を用いてバンドの一端をそのバンドの他端に粘着させる。
【特許文献１】米国特許５８４２７２２号公報
【発明の開示】
【発明が解決しようとする課題】
【０００３】
粘着式患者識別バンドに関わる1つの懸念は、使用される粘着剤が、人の肌への接触を認可されたタイプのものでなければならないということである。人への使用を認可された粘着剤を用いた場合でさえ、既知の粘着式識別バンドに関わる1つの問題は、粘着剤と患者の肌の接触が、一部の患者には不快さや炎症を与える可能性がまだあるということである。
【０００４】
患者情報は典型的には識別バンド上にさまざまな方法で配置される。識別バンドには書き込み、押印、感熱プリントができる。バンドに感熱プリントする場合、バンドを患者の手首や足首の周りに留め付ける前に、患者情報を接着ラベルに印刷してその後そのラベルを識別バンドに粘着させるか、または患者情報を識別バンドに直接印刷する。その結果、バンドが患者に装着されているとき、患者情報は患者の手首や足首の周りに円周方向に印刷された状態となる。感熱プリンタを用いる場合、バンドに患者識別情報を刷り込むために用いられるプリンタに、識別バンドの厚み、幅および長さが適合していることが重要である。バンドが厚すぎたり薄すぎたり、厚みが極端に不均一だったりすると、バンドがプリンタを通り抜けて移動するときに印字ヘッドは識別バンドの正しい位置に患者情報を正確に印字することができない可能性がある。識別バンドの幅が狭すぎたり広すぎたりすると、バンドはプリンタを通り抜けて正しく移動できない可能性がある。
【０００５】
既知の患者識別バンドの使用は大人の患者にとっては概ね満足のいくものであったが、これらのバンドを幼児や新生児、特に未熟児に使用することに関する不都合がある。新生児や幼児は非常に小さな手首や足首、ならびに特別敏感な肌を持っている。これらの特徴が、新生児や幼児に従来型患者識別バンドを用いることを、少なくとも２つの理由から難しくしている。第一に、識別バンドは幼児や新生児の手首や足首の周りにしっかりとはまるほど小さくなければならない。この小さなサイズという要求がある場合、所望の患者情報をすべて印刷するスペースがバンド上には足りないかも知れない。第二に、所望の患者情報をすべて印刷するために十分なスペースが識別バンド上にあったとしても、新生児が横たわっている場合には、識別バンド上に円周方向に印刷された情報の一部が新生児の腕や脚の下に来るため、そのような情報はしばしば読み取り難いか読み取り不能となる。
【０００６】
新生児や幼児の敏感で繊細な肌は既知の患者識別バンドの装具取り付けの困難をも作り出す。そのような繊細さを前提とすると、既知の機械的閉鎖手段は幼児や新生児の肌に擦り傷を作る、挟む、または刺激する可能性があるため、機械的閉鎖手段を具えたバンドよりも粘着式識別バンドがしばしば好まれてきた。しかし、人への使用を認可された粘着剤を用いた場合でも、新生児の敏感な肌にそのような粘着剤が接触すると、肌への刺激とそれに関わる不快さを引き起こすことがある。加えて、新生児に用いる場合には、バンドが新生児の肌を締めつけたり食い込んだりする可能性を低減するために、患者識別バンドの幅を最小にすることが望ましいと考えられている。しかし、そのような幅を減らすことはバンドの印刷領域を減らすばかりでなく、多くの既存のプリンタを通り抜けてバンドを送り込めないという結果になる。
【０００７】
上記に説明したように、出産病棟、分娩室、産科病棟、新生児集中治療部ならびに産科病棟における新生児や幼児に対する使用に適した、既知の識別用リストバンドに関わる不都合を克服する患者識別バンド技術の要求があった。理想的には、そのような識別バンドは、サーマルプリンタに適合し、粘着式閉鎖手段を用いながら粘着剤を新生児に接触させることなく、所望の情報を印刷するのに十分なばかりでなく、新生児が横たわっているとき容易に読み取れる印刷可能領域を提供するものである。
【課題を解決するための手段】
【０００８】
本発明は、柔軟性のある感圧積層構造と、幼児や新生児の手首や足首の周りに装着する新規の成形された取り外し可能な識別バンド、関連する患者識別方法、および、その識別バンドを幼児や新生児の手首や足首の周りに留め付けるために用いる組立用ジグを提供することにより既知の識別バンドの不都合を克服する。
【０００９】
その柔軟性のある感圧積層構造は、裏打ち層と、その裏打ち層と実質的に同じ広がりの印字可能層を具える。印字可能層は、印刷に適している印刷可能面と、粘着面とを具える。切り通された印字可能層は、連結バンド部で連結された２つの等サイズの患者識別部を具えた取り外し可能部を画定する。連結バンド部は、等サイズの患者識別部それぞれの幅よりも幅が狭い。印字可能層と裏打ち層の間の粘着層は、取り外し可能部が裏打ち層から取り外されたときに粘着剤が少なくとも一方の患者識別部の粘着面に付着したままとなるように、印字可能層を裏打ち層に取り外し可能に粘着させる。裏打ち層から取り外されたとき、印字可能層の取り外し可能部の連結バンド部には粘着剤は全く付着していない。
【００１０】
患者情報は等サイズの患者識別領域のうち一方または両方の印刷可能面に印刷され、次に印字可能層の取り外し可能部を、裏打ち層から取り外して、連結バンドを幼児や新生児の手首や足首の周りに巻きつけ、等サイズの患者識別領域の粘着面を互いに押し付けて、それにより等サイズの患者識別部のうち少なくとも一方の粘着面に付着している粘着剤によって２つの等サイズの患者識別領域を互いに付着させることによって、そのような手首や足首の周りに留め付けることができる。
【００１１】
柔軟性のある積層構造の印字可能層は、有利には、その上に直接感熱印刷できる材質で製造されてよい。少なくとも1つの未切断部を用いて、印字可能層の取り外し可能部を印字可能層の他の部位に連結してもよい。
【００１２】
一つの好適な実施形態における粘着層は複数の別個の粘着剤被覆層を備え、1つのそのような粘着剤被覆層は等サイズの患者識別部のうち少なくとも1つの粘着面に付着している。識別バンドが患者の手首や足首の周りに留め付けられたときに粘着剤が患者の肌に接触するのを避けるために、等サイズの患者識別部の粘着面に付着した粘着剤被覆層は有利には、そのような等サイズの患者識別部とは同じ広がりを持たず、そのような等サイズの患者識別部の周縁に界接しない。粘着剤は、米国食品医薬品局によって人の肌への接触を承認されたホットメルト感圧粘着剤とすることができる。
【００１３】
一つの好適な実施形態では、1つの粘着剤被覆層が各等サイズの患者識別部の粘着面に付着し、1つの粘着剤被覆層が積層構造の各側面に界接し、1つの粘着剤被覆層が積層構造の各端面に界接する状態で、６種の別個の粘着剤被覆層が配置されている。粘着層の面積は有利には前記印字可能層の粘着面の面積の少なくとも５０パーセントとすることができる。粘着層の面積は有利には印字可能層の粘着面の面積の少なくとも８１パーセント未満とすることができる。
【００１４】
積層構造に加えて、本発明は幼児や新生児の所定の直径の手首や足首の周りに装着する識別バンドをも提供する。その上への印刷が適した印刷可能面と、粘着面とを具えた柔軟性のあるバンドは、２つの等サイズの患者識別部が、その等サイズの患者識別部それぞれよりも幅が狭くその所定の直径よりも長尺の連結バンド部によって連結された形状を持つ。粘着剤は２つの等サイズの患者識別部のうち少なくとも１つの粘着面に粘着しているが、連結バンド部には付着していない。粘着剤は有利には、粘着剤がそのような等サイズの患者識別部の周縁に界接しないように等サイズの患者識別部の粘着面に粘着している。
【００１５】
患者情報は等サイズの患者識別領域のうち一方または両方の印刷可能面に印刷される。識別バンドは、連結バンド部を幼児や新生児の所定の直径の手首や足首に巻きつけて、等サイズの患者識別領域の粘着面を互いに押し付け、それにより等サイズの患者識別部のうち少なくとも一方の粘着面に付着している粘着剤によって２つの等サイズの患者識別部を互いに粘着させることによって、そのような手首や足首の周りに留め付けられる。
【００１６】
幼児や新生児の所定の直径の手首や足首の周りに装着する識別バンドは、その上に直接感熱印刷できる材質で製造されてよい。粘着剤は有利には、米国食品医薬品局によって人の肌への接触を承認されたホットメルト感圧粘着剤であってよい。
【００１７】
本発明には、幼児または新生児患者の識別方法も含まれる。そのような幼児または新生児患者に対応する患者識別情報は、裏打ち層と、その裏打ち層と実質的に同じ広がりの印字可能層と、を具えた柔軟性のある積層構造の上に印刷される。印字可能層は、その上への印刷が適した印刷可能面と、粘着面とを具える。切り通された印字可能層は、２つの等サイズの患者識別部が、その等サイズの患者識別部それぞれよりも幅が狭い連結バンド部によって連結された形状をした取り外し可能部を画定する。印字可能層と、裏打ち層の間の粘着層は、印字可能層を裏打ち層に取り外し可能に粘着させる。印字可能層の取り外し可能部が裏打ち層から取り外されたとき、粘着剤は等サイズの患者識別部のうち少なくとも1つの粘着面に粘着したままであり、取り外し可能部の連結バンド部に粘着剤が付着したまま残ることはない。
【００１８】
印字可能層の取り外し可能部は、裏打ち層から取り外されて、連結バンド部を幼児や新生児の手首や足首に巻きつけ、等サイズの患者識別部の粘着面を互いに押し付けて、それにより等サイズの患者識別部のうち少なくとも一方の粘着面に付着している粘着剤によって２つの等サイズの患者識別部を互いに粘着させることによってそのような手首や足首に留め付けることができる。
【００１９】
一つの好適な実施形態では、幼児や新生児の手首や足首の周りに識別バンドを留め付けるためのキットが提供され、それは前述の積層構造と、柔軟性のあるバンドの患者識別部の長さと幅に概ね対応する長さと幅がある窪み領域を具えた組立用ジグを含む。柔軟性のあるバンドの患者識別部の窪み領域における横方向の移動は、組立用ジグによって制止される。識別バンドは、一方の患者識別部を組立用ジグの窪み領域に配置し、識別バンドをそのような手首や足首の周りに巻きつけ、他方の患者識別部を窪み領域内にある患者識別部と実質的に同じ広がりに揃えてから２つの患者識別部を互いに押し付けて、それにより患者識別部のうち少なくとも一方の粘着面に付着した粘着剤によって２つの等サイズの患者識別部を互いに粘着させることによって、幼児や新生児の手首や足首に留め付けることができる。
【発明の効果】
【００２０】
こうして本発明は、幼児や新生児に用いられたときの既知の識別バンドの不都合を、所望の患者識別情報をすべて印刷するに足る大きさの患者識別部と、締め付けや不快さを最小限にする、患者の手首や足首の周りで狭幅の連結バンド部と、患者識別部に付着した粘着剤が新生児や幼児の肌の周縁に界接しない故に新生児や幼児の肌に接触しないことを好適な実施形態において確実にする粘着式閉鎖手段を備えた識別バンドを提供することにより克服する。患者識別情報は、連結時は手首や足首から外側に延びる患者識別部に印刷され、識別バンドの周りに円周方向に印刷されてはいないので、新生児や幼児が横たわっていても医療従事者がそのような情報を容易に読み取ることが出来る。
【発明を実施するための最良の形態】
【００２１】
本発明を、本発明の好適な実施形態を示した添付の図面を参照して以下詳細に説明する。しかし、本発明は各種の異なる形態で実施されてよく、本明細書に規定した好適な実施形態に限定したもの解釈されるべきではない。むしろ、これらの好適な実施形態は、この開示を万全で完璧にするため、また、当業者に対して本発明の範囲を万全に伝えるために提供されている。すべての代替形態、変更形態および等価物は、添付の請求の範囲に規定される本発明の趣旨および範囲内にあるものと意図されることが理解されよう。
【００２２】
図１〜図４は、本発明の好適な一実施形態を示し、そこで積層構造１０は、印字可能層１２、粘着層４０および裏打ち層４４を具えている。積層構造１０の印字可能層１２と裏打ち層４４は互いに実質的に同じ広がりを持つ。好適な実施形態において、積層構造は略長方形の形状である。
【００２３】
積層構造１０の印字可能層１２の最も外側の面、すなわち印刷が施される面、を本明細書において印字可能層１２の「印刷可能面」と称する。印字可能層１２の他方の面、すなわち、裏打ち層４４に最も近い面を、本明細書において印字可能層１２の「粘着面」と称する。同様に、識別バンド３０が基材すなわち積層構造１０の残存部分から取り外されてもなお、識別バンド３０は印刷が施される印刷可能面と粘着剤が付く粘着面を持つ。
【００２４】
本明細書における方向の呼称に関しては、「長さ」は積層構造の長手方向の寸法を意味し、「幅」は積層構造の横方向の寸法を意味し、「厚み」は印字可能層の印刷可能面に対して垂直な方向の寸法を意味する。積層構造の「端面」は積層構造の、長手方向に最も遠い端縁である。積層構造の「側面」は積層構造の、横方向に最も遠い端縁である。
【００２５】
任意の材質を印字可能層１２として用いてよい。印字可能層１２は積層構造１０から取り外して識別バンドとして用いることを意図しているので、印字可能層として選択される材質は以下の特性を持つべきである。すなわち好ましくは既知のプリンタを用いた、表面への印刷に適した印刷可能面と、積層構造がその構造の両端を互いに粘着させて患者の手首や足首の周りに壊れずに巻きつくことを可能とするために十分な柔軟性と、病院の患者によって、または患者に対して典型的に行われる、ベッドの材質、風呂、シャワーおよびその他の行為による擦れに、ひどく劣化せずに耐えられる強さと、低刺激性であること、である。印字可能層としての使用に特に適している材質は、感熱コーティングとＵＶトップコートで被覆された２軸延伸ポリプロピレンフィルムであることがわかっている。有利には、そのような材質で作られた印字可能層１２は、従来のダイレクトサーマルプリンタに適応し、各種オイル、可塑剤およびアルコールへの耐性が良好であり、冷水または中温水に浸漬されても劣化しない（極端に高温の湯では顕著な劣化を起こすことがある）。
【００２６】
裏打ち層４４も同様に、印字可能層１２と粘着層４０がそこから容易に取り外しできるような柔軟性のある材質でできている。好適な実施形態において、裏打ち層４４はシリコンまたは他の耐粘着コーティングでカレンダー加工された紙である。
【００２７】
好適な一実施形態における粘着層４０は、印字可能層１２を裏打ち層４４に接触させて保持しながらも、印字可能層１２も裏打ち層４４も大きく損なわずに印字可能層１２を裏打ち層４４から取り外すことも可能にするのに適した感圧粘着剤から構成されている。粘着層４０として用いるにはホットメルト粘着剤が適していることがわかっている。そのようなホットメルト粘着剤を、感熱材質が印字可能層として用いられている構造で使用する場合、積層構造の製造中にホットメルト粘着剤が感熱印字可能層を活性化しないことを確実にするべく注意しなければならない。好ましくは、粘着層４０に用いられる粘着剤は、米国食品医薬品局によって人の肌への接触を承認されたものである。
【００２８】
印字可能層１２、裏打ち層４４および粘着層４０を含めて積層構造１０に使用するのに適した材質は、例えばカリフォルニア州アップランドのＣＣＬインダストリーズ（ＣＣＬ  Ｉｎｄｕｓｔｒｉｅｓ，  Ｉｎｃ  ｉｎ  Ｕｐｌａｎｄ，  Ｃａｌｉｆｏｒｎｉａ  ９１７８６−４３７７）から一般に入手可能で求めることができる。
【００２９】
当業者なら理解するであろうであろうことだが、印字可能層１２および裏打ち層４４には各種のコーティングを施してよく、そのようなコーティングの存在は、本発明の範囲から逸脱するものではない。例えば、ＵＶコーティングを印字可能層に施してもよい。
【００３０】
図２〜図４に示すように、粘着層４０は印字可能層１２および裏打ち層４４と同じ広がりを持たない。むしろ、粘着層は、識別バンド３０も裏打ち層４４も大きく劣化させずに識別バンド３０を積層構造から取り外させながら、印字可能層１２と裏打ち層４４の間の粘着を協働して維持する複数の粘着剤被覆層からなる。好適な実施形態において、粘着層４０は、印字可能層１２の面積の約５０パーセントから約８０パーセントの間を覆い、印字可能層が裏打ち層４４から取り外されるとき、粘着層４０は印字可能層１２の粘着面に粘着したままとなるように、粘着層４０は印字可能層１２に比較的永続的に粘着している。
【００３１】
本発明による長方形の積層構造に有用である粘着剤被覆層の特に有利なパターンが、図２に示されている。このパターンでは、印字可能層１２と裏打ち層４４の間に６箇所、粘着剤層で覆われた部分がある。２つの粘着剤被覆層２４が長手方向に互いに間を置いて配置され、そのような被覆層の各々は積層構造の一端面に近接している。２つの粘着剤被覆層２６が横方向にそれぞれから間を置いて配置され、そのような被覆層はそれぞれが積層構造の一側面に近接している。以後は内部粘着剤被覆層と呼ぶ２つの粘着剤被覆層２２は、長手方向にそれぞれから間を置いており、そのような堆積層はどれ一つとして積層構造の如何なる側面或いは如何なる端面にも近接していない。
【００３２】
有利には、粘着剤被覆層どうしは実質的に厚みが等しく、さらに、従来のプリンタを通り抜ける積層構造１０の移動を促進するため、および、プリントヘッドに対する印字可能層の印刷可能面の位置取りを、正確な印刷に必要な公差内とすることを促進するため、積層構造１０の全体としての厚みが実質的に均一になるように配置される。
【００３３】
図１〜図２に示すように、印字可能層１２は切り込まれて（そして有利には打ち抜かれて）、患者識別領域１６よりも幅が狭い連結バンド１８で連結された２つの等サイズの患者識別領域１６を具えた識別バンド部１４を形成する。識別バンド部の形状は当技術分野では一般に「ダンベル形状」と呼ばれる。識別バンド部１４は、１つの内部粘着剤被覆層２２が各患者識別領域１６に近接するとともに他の４層の粘着剤被覆層２２、２４のいずれも識別バンド部１４内に来ないように印字可能層１２へと切り込まれている。好適な一実施形態において、連結バンド幅は７ｍｍを超えず、連結バンドの長さは９５ｍｍを超えない。好適な一実施形態において、患者識別領域の長さは６０ｍｍを超えず、患者識別領域の幅は３５ｍｍを超えない。別の好適な実施形態において、連結バンドの長さは約７６ｍｍであり、各患者識別領域の長さは約３８ｍｍで各患者識別領域の幅は約２８ｍｍである。
【００３４】
積層構造１０の印字可能層１２を切り込むとき、識別バンド部１４は、より小規模な未切断部２０のうち１つによって、印字可能層１２の他の部位に取り付けられたままであってよい。各患者識別領域１６と積層構造１０の対応する端面の間に１つまたは複数の未切断部２０を配置することは、構造がプリンタを通り抜けて移動する際に、識別バンド部１４が積層構造から外れることを防止する補助として有利に使用されることができる。その１つまたは複数の小規模な未切断部２０は、存在する場合には、識別バンド部１４の積層構造１０からの取り外しを邪魔したり、取り外すときに識別バンド部１４または識別バンド部の印字可能層に大きな劣化を引き起こしたりしないサイズであるべきである。
【００３５】
図２を参照すると、本発明の好適な一実施形態において、内部粘着剤被覆層２２の周縁は、近接した患者識別領域１６の周縁に界接していない。有利には、各内部粘着剤被覆層２２の周縁と近接した患者識別領域１６の周縁との距離Ｄは約２ｍｍから約４ｍｍである。
【００３６】
図１２に示すように、上記に説明した積層構造１０は、端と端を互いに付けた複数の積層構造が、厚紙またはその他の適切な材質の筒１０１の周りに巻かれて連続して製造されたものでよい。ロール内の個々の積層構造は、横方向のミシン目１００によって、個々の積層構造をミシン目に沿って裂いてロールから外すことによって、取り外すことができる。当業者なら理解するであろうが、プリンタなどの従来型機械での積層構造の使用を促進するために、横方向の濃色標示線を裏打ち層の外側に印刷してもよく、プリンタは積層構造を機械内に正しく位置決めするために、そのような線の存在を検知することが多い。
【００３７】
図５〜図６を参照すると、印字可能層１２に切り込まれた識別バンド部１４は、大まかに３０で示された識別バンドを形成するために積層構造１０から離脱することができる。図６に示すように、識別バンド部１４が識別バンド３０を形成するためにラミネート構造１０から取り外されるとき、２つの内部粘着剤被覆層２２それぞれは近接した患者識別領域１６に粘着したままである。
【００３８】
文字列、写真、バーコードデータ、またはそれらの組合せなどである患者識別証３４は、従来のプリンタを用いて積層構造１０の患者識別領域１６の一方または両方の印刷可能面に印刷されることができる。所望の患者識別証３４が積層構造上に印刷された後で、識別バンド部１４は識別バンド３０として用いるために積層構造から取り外される。
【００３９】
図７〜図９を参照すると、連結バンド１８を手首や足首の周りに巻きつけ、各患者識別領域１６の粘着面上の内部粘着剤被覆層２２が互いに向き合うように患者識別領域１６それぞれを突き合わせて揃えて並べ、次に患者識別領域１６（したがって２つの内部粘着剤被覆層２２）を互いに押し付けることによって、識別バンド３０は、幼児や新生児の手首や足首の周りに閉じた環を形成する。有利には、識別バンド３０が新生児の手首や足首の周りに閉じた環として組み立てられたとき、各内部粘着剤被覆層２２の周縁は患者識別領域１６の周縁から距離Ｄ分間を空けている。その結果、粘着剤が幼児や新生児の肌に接触することがなくなる。
【００４０】
識別バンド３０は幼児や新生児への使用に特別適しているが、識別バンド３０を他の患者に使用しても本発明の範囲から逸脱しない。
【００４１】
図１０に関して述べると、識別バンド３０の識別領域１６に概ね長さと幅が対応する窪み領域４８を持つ組立用ジグ５０を用いて、識別バンドを組み立てつつ患者識別領域の突き合わせの整列の確保を補助してもよい。識別バンド３０が新生児の手首や足首の周りに形成されたとき、その患者識別領域を組立用ジグ５０の窪み領域４８に共に定置して、内部粘着剤被覆層２２の正しい整列を確実にする。そのように組立用ジグ５０は、識別バンド３０の両端を維持している粘着剤が、内部では離れていて、新生児の肌と接触しないことの確保を補助する。組立用ジグ５０は、各種の厚紙、プラスチックまたは金属などの、任意の耐久性のある材質で作製されるようにできる。
【００４２】
積層構造１０と識別バンド３０はそれぞれ非常に可撓性と耐久性がある。識別バンド３０は、幼児や新生児の肌への摩削を最低限にするために角が丸められたものとすることができる。積層構造１０および識別バンド３０の寸法は、識別バンドが幼児や新生児の手首や足首の周りに快適に適合するが、新生児や幼児の手首や足首から滑脱するほど緩くないように選択されている。識別バンド３０の患者識別領域１６は、そこに所望の患者識別証３４を印刷できるのに十分な大きさであるが、幼児や新生児に過度に干渉しないサイズである。好適な一実施形態において、識別バンド３０の連結バンド１８は、約７ｃｍから約８ｃｍの間の長さと、約０．５ｃｍから約１ｃｍの間の幅とを持ち、患者情報領域１６は約３ｃｍから約４ｃｍの間の長さと、約２ｃｍから約３ｃｍの間の幅を持つ。識別バンド３０の他の可能な寸法は、識別バンドが新生児の手首や足首の周りに巻き付けられるに足る長さであれば本発明の範囲内にある。
【００４３】
積層構造１０は好ましくは略長方形の形状をしているが、本発明の範囲から逸脱せずに他の形状を用いてもよい。略長方形の形状をした積層構造１０は、そこに識別証３４を印刷するために従来のプリンタに容易に送り込める。特に有利な積層構造１０は、約１６ｃｍから約１８ｃｍの間の長さと、約３ｃｍから約５ｃｍの間の幅を持つ。
【００４４】
上記に示したように、本発明の積層構造および識別バンドは、従来のプリンタで使用できる積層構造１０を提供することにより、また、粘着剤との肌の接触の可能性を最低限にするばかりでなく、バンドが手首や足首に留め付けられているときに新生児から延びるバンドの平坦な部位に患者識別証が印刷されていて、識別ブレスレットの周りに円周方向に印刷されてはいないため、幼児または新生児が寝ているときでも容易に読み取れる、幼児や新生児での使用に特に適した識別バンドを提供することにより当技術分野での既存の課題を解決する。
【００４５】
本発明は広範な実用性と用例を受け入れる余地があることを当業者なら容易に理解するであろう。本明細書に説明された以外の本発明の多くの実施形態と修正、ならびに種々の変形形態、変更形態および等価の構成は、本発明の本質あるいは範囲から逸脱することなく、本発明ならびにその前述の説明から明白あるいは正当に示唆されている。したがって、本明細書では本発明をその好適な実施形態に沿って説明してきたが、この開示は単に本発明を説明または例示するのみであって、本発明の万全で権限ある開示を提供する目的のみのためなされたことを理解されたい。前述の開示は本発明を限定する意図もなくそのように解釈されるべきでもなく、また、そのような他の実施形態、修正、変形形態、変更形態および等価の構成を除外するものでもない。
【図面の簡単な説明】
【００４６】
【図１】本発明の好適な実施形態による積層構造の、印字可能層の印刷可能面が見える平面図である。
【図２】図１の積層構造の印字可能層の粘着面の、粘着剤が付着している状態の平面図である。
【図３】図１の積層構造の、線３−３に沿った断面図である。
【図４】図１の積層構造の、線４−４に沿った断面図である。
【図５】図１の積層構造から取り外された識別バンドの印刷可能面の平面図である。
【図６】図５の識別バンドの粘着面の、粘着剤が付着した状態の平面図である。
【図７】図５の識別バンドのその両端が互いに接着連結された状態の斜視図である。
【図８】図７の識別バンドの斜視図の、印字可能層と、裏打ち層の間の粘着剤被覆層を破線で示した図である。
【図９】図７の識別バンドの、幼児や新生児の足首に留め付けられた状態の斜視図である。
【図１０】識別バンドを幼児や新生児の手首や足首の周りに留め付けるために用いられる組立用ジグの斜視図である。
【図１１】識別バンドを幼児や新生児の手首や足首の周りに留め付けるために用いられる組立用ジグの斜視図である。
【図１２】一巻きの積層構造の斜視図である。
【符号の説明】
【００４７】
１０…積層構造、１２…印字可能層、１６…患者情報領域、１８…連結バンド、２０…未切断部、２２…内部粘着剤被覆層、２４…粘着剤被覆層、３０…識別バンド、３４…識別証、４０…粘着層、４８…窪み領域、１００…ミシン目、Ｄ…距離
【図１】
2009518691.tif 000003
【図２】
2009518691.tif 000004
【図３】
2009518691.tif 000005
【図４】
2009518691.tif 000006
【図５】
2009518691.tif 000007
【図６】
2009518691.tif 000008
【図７】
2009518691.tif 000009
【図８】
2009518691.tif 000010
【図９】
2009518691.tif 000011
【図１０】
2009518691.tif 000012
【図１１】
2009518691.tif 000013
【図１２】
2009518691.tif 000014
【国際調査報告】
2009518691.tif 000015